(57)【要約】【課題】セキュリティエリア内において通信端末装置を暫く使用できない状態を防ぐとともに、ユーザに意識させることなくセキュリティロックを解除し、使い勝手を良くすること。【解決手段】ＧＰＳ部１０５は、現在の位置情報を取得する。セキュリティ設定部１１０は、位置情報がセキュリティエリア内である場合にセキュリティを解除し、位置情報がセキュリティエリア外である場合にセキュリティを設定する。情報保存部１０４は、セキュリティエリアと対応付けられた基地局のＢＳＩをあらかじめ記憶する。無線部１０２は、複数の基地局のＢＳＩを取得する。ＧＰＳ制御部１０８は、情報保存部１０４に記憶しているＢＳＩ及び無線部１０２により取得したＢＳＩに基づいて、ＧＰＳ部１０５による位置情報の取得の開始のタイミングを制御する。【選択図】図１
2010268143.tif 000002
【特許請求の範囲】
【請求項１】
現在の位置情報を取得する取得手段と、
取得した前記位置情報が所定のエリア内である場合にセキュリティを解除し、取得した前記位置情報が前記エリア外である場合にセキュリティを設定するセキュリティ手段と、
前記エリアと対応付けられた基地局の第１識別情報をあらかじめ記憶する記憶手段と、
複数の基地局の第２識別情報を取得する無線手段と、
前記第１識別情報及び前記第２識別情報に基づいて、前記取得手段による前記位置情報の取得の開始のタイミングを制御する制御手段と、
を具備する通信端末装置。
【請求項２】
前記無線手段は、受信レベルが閾値以上の基地局の前記第２識別情報を取得し、
前記制御手段は、前記エリアのサイズが所定値以上の場合には受信レベルの最も高い基地局以外の基地局の前記第２識別情報と前記第１識別情報とが一致した場合に前記位置情報の取得を開始させ、前記エリアのサイズが所定値未満の場合には受信レベルの最も高い基地局の前記第２識別情報と前記第１識別情報とが一致した場合に前記位置情報の取得を開始させる請求項１記載の通信端末装置。
【請求項３】
移動方向を検出する検出手段をさらに具備し、
前記制御手段は、検出した前記移動方向が前記エリアに向かう方向である場合に前記タイミングを制御する請求項１記載の通信端末装置。
【請求項４】
セキュリティの設定及び解除を行う通信端末装置におけるセキュリティ方法であって、
現在の位置情報を取得するステップと、
取得した前記位置情報が所定のエリア内である場合にセキュリティを解除し、取得した前記位置情報が前記エリア外である場合にセキュリティを設定するステップと、
前記エリアと対応付けられた基地局の第１識別情報をあらかじめ記憶するステップと、
複数の基地局の第２識別情報を取得するステップと、
前記第１識別情報及び前記第２識別情報に基づいて、前記位置情報の取得の開始のタイミングを制御するステップと、
を具備するセキュリティ方法。
【発明の詳細な説明】
【技術分野】
【０００１】
本発明は、通信端末装置及びセキュリティ方法に関し、特にセキュリティエリアの出入りをユーザに意識させずにセキュリティを設定または解除する通信端末装置及びセキュリティ方法に関する。
【背景技術】
【０００２】
従来、事前にセキュリティエリアを登録し、キー入力等により信号が発生した場合に、ＧＰＳ機能の起動及び位置情報の取得を行い、取得した位置情報に基づいてセキュリティエリア内であるか否かを判断し、判断結果に応じてセキュリティロックの解除動作を行う通信端末装置が知られている（例えば、特許文献１）。そして、セキュリティロックを解除することにより、セキュリティエリア内において通信端末装置を使用することが可能になる。特許文献１では、キー入力等により信号が発生するまではＧＰＳ機能の起動及び位置情報の取得を行わないので、省電力にすることができる。
【先行技術文献】
【特許文献】
【０００３】
【特許文献１】特開２００８−２２７７５８号公報
【発明の概要】
【発明が解決しようとする課題】
【０００４】
しかしながら、特許文献１においては、セキュリティロックの解除時にＧＰＳ機能の起動及び位置情報の取得を行うので、セキュリティエリア内において、セキュリティロックを解除するまで通信端末装置を暫く使用することができないという問題がある。また、特許文献１においては、ユーザが意識的にセキュリティロックを解除する操作を行わないかぎり、セキュリティロックを解除することができず、使い勝手が悪いという問題がある。
【０００５】
本発明はかかる点に鑑みてなされたものであり、セキュリティロックの解除時の前の所定のタイミングでＧＰＳ機能を起動することにより、セキュリティエリア内において通信端末装置を暫く使用できない状態を防ぐことができるとともに、ユーザに意識させることなくセキュリティロックを解除することができ、使い勝手を良くすることができる通信端末装置及びセキュリティ方法を提供することを目的とする。
【課題を解決するための手段】
【０００６】
本発明の通信端末装置は、現在の位置情報を取得する取得手段と、取得した前記位置情報が所定のエリア内である場合にセキュリティを解除し、取得した前記位置情報が前記エリア外である場合にセキュリティを設定するセキュリティ手段と、前記エリアと対応付けられた基地局の第１識別情報をあらかじめ記憶する記憶手段と、複数の基地局の第２識別情報を取得する無線手段と、前記第１識別情報及び前記第２識別情報に基づいて、前記取得手段による前記位置情報の取得の開始のタイミングを制御する制御手段と、を具備する構成を採る。
【０００７】
本発明のセキュリティ方法は、セキュリティの設定及び解除を行う通信端末装置におけるセキュリティ方法であって、現在の位置情報を取得するステップと、取得した前記位置情報が所定のエリア内である場合にセキュリティを解除し、取得した前記位置情報が前記エリア外である場合にセキュリティを設定するステップと、前記エリアと対応付けられた基地局の第１識別情報をあらかじめ記憶するステップと、複数の基地局の第２識別情報を取得するステップと、前記第１識別情報及び前記第２識別情報に基づいて、前記位置情報の取得の開始のタイミングを制御するステップと、を具備するようにした。
【発明の効果】
【０００８】
本発明によれば、セキュリティロックの解除時の前の所定のタイミングでＧＰＳ機能を起動することにより、セキュリティエリア内において通信端末装置を暫く使用できない状態を防ぐことができるとともに、ユーザに意識させることなくセキュリティロックを解除することができ、使い勝手を良くすることができる。
【図面の簡単な説明】
【０００９】
【図１】本発明の実施の形態に係る通信端末装置の構成を示すブロック図
【図２】本発明の実施の形態に係る情報保存部に記憶する情報の登録方法を示すフロー図
【図３】本発明の実施の形態に係るＣａｓｅ  Ｂの場合のセキュリティエリアと、各セルとの関係を示す図
【図４】本発明の実施の形態に係るＣａｓｅ  Ｃの場合のセキュリティエリアと、各セルとの関係を示す図
【図５】本発明の実施の形態に係るＣａｓｅ  Ａの場合の通信端末装置の動作を示すフロー図
【図６】本発明の実施の形態に係るＣａｓｅ  Ａの場合におけるＧＰＳ部の起動のタイミングを示す図
【図７】本発明の実施の形態に係るＣａｓｅ  Ｂの場合の通信端末装置の動作を示すフロー図
【図８】本発明の実施の形態に係るＣａｓｅ  Ｂの場合におけるＧＰＳ部の起動のタイミングを示す図
【図９】本発明の実施の形態に係る通信端末装置がセキュリティエリアに向かっている状態を示す図
【図１０】本発明の実施の形態に係る通信端末装置がセキュリティエリアに向かっていない状態を示す図
【図１１】本発明の実施の形態に係るＣａｓｅ  Ｃの場合の通信端末装置の動作を示すフロー図
【図１２】本発明の実施の形態に係る通信端末装置がセキュリティエリア内からセキュリティエリア外に移動する場合の通信端末装置の動作を示すフロー図
【発明を実施するための形態】
【００１０】
以下、本発明の実施の形態について、図面を参照して詳細に説明する。
【００１１】
（実施の形態）
図１は、本発明の実施の形態に係る通信端末装置１００の構成を示すブロック図である。
【００１２】
通信端末装置１００は、アンテナ１０１と、無線部１０２と、方向検出部１０３と、情報保存部１０４と、ＧＰＳ（Global Positioning System）部１０５と、主制御部１５０とから主に構成される。また、主制御部１５０は、無線情報比較部１０６と、方向識別部１０７と、ＧＰＳ制御部１０８と、エリア判定部１０９と、セキュリティ設定部１１０とを含む。主制御部１５０は、例えばＣＰＵである。以下に、各構成について、詳細に説明する。
【００１３】
アンテナ１０１は、図示しない複数の基地局からの信号を受信し、受信信号を無線部１０２へ出力する。また、アンテナ１０１は、無線部１０２から入力した送信信号を送信する。また、アンテナ１０１は、ＧＰＳ衛星から受信したＧＰＳ信号をＧＰＳ部１０５へ出力する。
【００１４】
無線部１０２は、アンテナ１０１から入力した各基地局の受信信号の受信レベルを検出する。また、無線部１０２は、検出した受信レベルが閾値以上の基地局の受信信号を復号して、各基地局に固有のＢＳＩ（基地局番号）を取得する。この際、無線部１０２は、取得したＢＳＩの基地局のうち、検出した受信レベルの最も大きい基地局以外の基地局のＢＳＩを候補基地局のＢＳＩとして取得する。ここで、候補基地局とは、通信端末装置１００の在圏するセルの隣接セルまたは周辺セルの基地局である。また、無線部１０２は、取得したＢＳＩを無線情報比較部１０６へ出力する。また、無線部１０２は、無線情報比較部１０６から入力した送信信号を符号化してアンテナ１０１へ出力する。
【００１５】
方向検出部１０３は、例えば加速度センサーであり、通信端末装置１００が移動しているか否かを検出し、移動している場合には移動方向を検出する。
【００１６】
情報保存部１０４は、事前に設定したセキュリティエリアの位置及びサイズを保存する。また、情報保存部１０４は、位置情報を取得するタイミングを制御するタイミング制御情報とＢＳＩとを対応付けて保存する。ここで、セキュリティエリアの位置とは、例えばセキュリティエリアが略円形状である場合のセキュリティエリアの中心点の緯度及び経度である。また、セキュリティエリアのサイズとは、例えばセキュリティエリアが略円形状である場合のエリアの半径である。また、セキュリティエリアとは、例えば通信端末装置１００のユーザの自宅である。なお、タイミング制御情報については後述する。
【００１７】
ＧＰＳ部１０５は、ＧＰＳ制御部１０８の制御に従って、アンテナ１０１から入力したＧＰＳ信号に基づいて、通信端末装置１００の現在の位置情報を取得する。
【００１８】
無線情報比較部１０６は、無線部１０２から入力したＢＳＩと、情報保存部１０４に保存されているＢＳＩとを比較する。そして、無線情報比較部１０６は、比較結果をＧＰＳ制御部１０８へ出力する。
【００１９】
方向識別部１０７は、方向検出部１０３における検出結果を方向検出部１０３から取得し、取得した検出結果に基づいて、通信端末装置１００が移動しているか否かを判定し、移動していると判定した場合には移動方向を求める。そして、方向識別部１０７は、求めた移動方向に基づいてセキュリティエリアに向かっているか否かを判定し、判定結果をＧＰＳ制御部１０８へ出力する。
【００２０】
ＧＰＳ制御部１０８は、無線情報比較部１０６から入力した比較結果及び方向識別部１０７から入力した判定結果に基づいて、ＧＰＳ部１０５により位置情報の取得を開始するタイミングを制御する。
【００２１】
エリア判定部１０９は、ＧＰＳ部１０５から取得した現在の位置情報と、情報保存部１０４に保存されているセキュリティエリアの位置との比較結果に基づいて、セキュリティエリアに入ったか否か、及びセキュリティエリアから出たか否かを判定する。そして、エリア判定部１０９は、判定結果をセキュリティ設定部１１０へ出力する。
【００２２】
セキュリティ設定部１１０は、セキュリティエリアに入った判定結果がエリア判定部１０９から入力した場合に、セキュリティロックを解除する。また、セキュリティ設定部１１０は、セキュリティエリアから出た判定結果がエリア判定部１０９から入力した場合に、セキュリティロックを設定する。以上で、通信端末装置１００の構成の説明を終える。
【００２３】
次に、情報保存部１０４に記憶する情報の登録方法について、図２〜図４を用いて説明する。図２は、情報保存部１０４に記憶する情報の登録方法を示すフロー図である。また、図３は、Ｃａｓｅ  Ｂの場合のセキュリティエリア＃３０１と、セル１＃３０２と、セル５＃３０３との関係を示す図である。また、図４は、Ｃａｓｅ  Ｃの場合のセキュリティエリア＃４０１と、セル＃４０２と、セル＃４０３との関係を示す図である。なお、図２の処理は、通信端末装置１００における事前の初期設定等において行う。
【００２４】
最初に、情報保存部１０４は、各セキュリティエリアの中心座標を登録する（ステップＳＴ２０１）。また、情報保存部１０４は、セキュリティエリアのサイズを登録する。ここで、セキュリティエリアの中心座標とは、例えば緯度及び経度であり、セキュリティエリアのサイズとは、例えばセキュリティエリアの半径である。
【００２５】
そして、セキュリティエリアの半径が１０ｍ以上である場合には（ステップＳＴ２０２：Ｙｅｓ）、無線部１０２により取得した受信レベルの最も高い基地局のＢＳＩをＣａｓｅ  Ａ（タイミング制御情報）と対応付けて登録するとともに、情報保存部１０４に記憶する（ステップＳＴ２０３）。Ｃａｓｅ  Ａでは、情報保存部１０４に記憶したＢＳＩと無線部１０２により取得した候補基地局のＢＳＩとが一致した場合に、ＧＰＳ部１０５による位置情報の取得を開始する。
【００２６】
また、セキュリティエリアの半径が１０ｍ未満である場合において（ステップＳＴ２０２：Ｎｏ）、無線部１０２により取得したＢＳＩの基地局のうち、最も受信レベルの大きい基地局とそれ以外の基地局との受信レベル差が２０ｄｂ以上である場合には（ステップＳＴ２０４：Ｙｅｓ）、無線部１０２が取得した受信レベルの最も高い基地局のＢＳＩをＣａｓｅ  Ｂ（タイミング制御情報）と対応付けて登録するとともに、情報保存部１０４に記憶する（ステップＳＴ２０５）。
【００２７】
図３に示すように、Ｃａｓｅ  Ｂでは、設定されたセキュリティエリア＃３０１が、複数のセル１＃３０２及びセル５＃３０３に跨っていないと判断できる。従って、この場合、通信端末装置１００は、情報保存部１０４に記憶したＢＳＩ（例えばＢＳＩ１１）と無線部１０２により取得した受信レベルの最も大きい基地局のＢＳＩ（例えば、セル１＃３０２のＢＳＩ１１）とが一致した場合に、ＧＰＳ部１０５による位置情報の取得を開始する。
【００２８】
また、セキュリティエリアの半径が１０ｍ未満である場合において（ステップＳＴ２０２：Ｎｏ）、無線部１０２により取得したＢＳＩの基地局のうち、受信レベルの最も大きい基地局とそれ以外の基地局との受信レベル差が２０ｄｂ未満である場合には（ステップＳＴ２０４：Ｎｏ）、無線部１０２により取得した受信レベルの最も高いＢＳＩと、最も高い受信レベルとのレベル差が２０ｄｂ未満のＢＳＩとをＣａｓｅ  Ｃ（タイミング制御情報）と対応付けて登録するとともに、情報保存部１０４に記憶する（ステップＳＴ２０６）。
【００２９】
図４に示すように、Ｃａｓｅ  Ｃでは、設定されたセキュリティエリア＃４０１が複数のセル１＃４０２及びセル５＃４０３に跨っている可能性があると判断できる。従って、この場合、通信端末装置１００は、情報保存部１０４に記憶した複数のＢＳＩ（例えばＢＳＩ１１及びＢＳＩ１５）と無線部１０２により取得した受信レベルが大きい方から順次選択した２つの基地局のＢＳＩ（例えば、セル１＃４０２のＢＳＩ１１及びセル５＃４０３のＢＳＩ１５）とが一致した場合に、ＧＰＳ部１０５による位置情報の取得を開始する。以上で、情報保存部１０４に記憶する情報の登録方法の説明を終える。
【００３０】
次に、タイミング制御情報がＣａｓｅ  Ａの場合の通信端末装置１００の動作について、図５及び図６を用いて説明する。図５は、タイミング制御情報がＣａｓｅ  Ａの場合の通信端末装置１００の動作を示すフロー図である。また、図６は、タイミング制御情報がＣａｓｅ  Ａの場合におけるＧＰＳ部１０５の起動のタイミングを示す図である。
【００３１】
最初に、無線情報比較部１０６は、無線部１０２から取得した候補基地局のＢＳＩと、情報保存部１０４に記憶するＢＳＩとを比較して、情報保存部１０４に記憶したＢＳＩの中に候補基地局のＢＳＩが存在するか否かを判定する（ステップＳＴ５０１）。
【００３２】
情報保存部１０４に記憶したＢＳＩの中に、取得した候補基地局のＢＳＩと一致するＢＳＩが存在しない場合には（ステップＳＴ５０１：Ｎｏ）、ステップＳＴ５０１の処理を繰り返す。
【００３３】
また、情報保存部１０４に記憶したＢＳＩの中に、取得した候補基地局のＢＳＩと一致するＢＳＩが存在する場合には（ステップＳＴ５０１：Ｙｅｓ）、ＧＰＳ制御部１０８は、位置情報の取得を開始するようにＧＰＳ部１０５を制御する（ステップＳＴ５０２）。
【００３４】
次に、方向識別部１０７は、現在地とセキュリティエリアの中心座標とから進んでいる方向を確定する（ステップＳＴ５０３）。
【００３５】
次に、方向識別部１０７は、加速度センサー等の方向検出部１０３の検出結果を取得して確認する（ステップＳＴ５０４）。
【００３６】
次に、方向識別部１０７は、セキュリティエリアに向かっているか否かを判定する（ステップＳＴ５０５）。
【００３７】
セキュリティエリアに向かっていないと判断した場合には（ステップＳＴ５０５：Ｎｏ）、無線情報比較部１０６は、無線部１０２から取得した候補基地局のＢＳＩと、情報保存部１０４に記憶するＢＳＩとを比較して、情報保存部１０４に記憶したＢＳＩの中に候補基地局のＢＳＩが存在するか否かを判定する（ステップＳＴ５０６）。
【００３８】
情報保存部１０４に記憶したＢＳＩの中に、取得した候補基地局のＢＳＩと一致するＢＳＩが存在しない場合には（ステップＳＴ５０６：Ｎｏ）、ステップＳＴ５０１に処理を戻す。
【００３９】
一方、情報保存部１０４に記憶したＢＳＩの中に、取得した候補基地局のＢＳＩと一致するＢＳＩが存在する場合には（ステップＳＴ５０６：Ｙｅｓ）、ステップＳＴ５０４に処理を戻す。
【００４０】
また、セキュリティエリアに向かっていると判断した場合には（ステップＳＴ５０５：Ｙｅｓ）、ＧＰＳ制御部１０８はタイマをスタートさせて、Ｔ＝Ｎ（Ｎは任意の正の数）まで計測する（ステップＳＴ５０７）。
【００４１】
次に、ＧＰＳ制御部１０８は、Ｔ＝Ｎであるか否かを判定する（ステップＳＴ５０８）。
【００４２】
Ｔ＝Ｎでない場合には（ステップＳＴ５０８：Ｎｏ）、ステップＳＴ５０８の処理を繰り返す。
【００４３】
一方、Ｔ＝Ｎである場合には（ステップＳＴ５０８：Ｙｅｓ）、ＧＰＳ制御部１０８は、ＧＰＳ部１０５を起動する（ステップＳＴ５０９）。
【００４４】
次に、エリア判定部１０９は、ＧＰＳ部１０５により取得した位置情報と、情報保存部１０４に記憶するセキュリティエリアの位置との比較結果に基づいて、セキュリティエリアに入ったか否かを判定する（ステップＳＴ５１０）。
【００４５】
セキュリティエリアに入っていないと判断した場合には（ステップＳＴ５１０：Ｎｏ）、ステップＳＴ５０１に処理を戻す。
【００４６】
一方、セキュリティエリアに入ったと判断した場合には（ステップＳＴ５１０：Ｙｅｓ）、方向識別部１０７は、方向検出部１０３が動きを検出しているか否かを判定する（ステップＳＴ５１１）。
【００４７】
方向検出部１０３が動きを検出している場合には（ステップＳＴ５１１：Ｎｏ）、ステップＳＴ５０７に処理を戻す。
【００４８】
一方、方向検出部１０３が動きを検出していない場合には（ステップＳＴ５１１：Ｙｅｓ）、セキュリティ設定部１１０は、セキュリティエリア内で停止していると判断してセキュリティロックを解除し、ＧＰＳ部１０５は、位置情報の取得を終了する（ステップＳＴ５１２）。
【００４９】
上記の処理において、図６より、情報保存部１０４は、セキュリティエリア＃６０１と対応付けられたセル１のＢＳＩ１１をあらかじめ記憶している。また、通信端末装置１００がセル２のエッジＰ１に到達することにより、無線部１０２は、候補基地局（セル３、セル４、セル５、セル１）のＢＳＩ１３、ＢＳＩ１４、ＢＳＩ１５、ＢＳＩ１１を取得する。この際、ＧＰＳ制御部１０８は、情報保存部１０４に記憶しているＢＳＩ１１と無線部１０２により取得した候補基地局のＢＳＩ１１とが一致する比較結果を無線情報比較部１０６から取得する。従って、ＧＰＳ制御部１０８は、セル２のエッジＰ１において、ＧＰＳ部１０５を起動させて、ＧＰＳ部１０５による位置情報の取得を開始させる。これにより、通信端末装置１００は、セキュリティエリア＃６０１に入った際に、直ちに通信を開始することができる。以上で、タイミング制御情報がＣａｓｅ  Ａの場合の通信端末装置１００の動作についての説明を終える。
【００５０】
次に、タイミング制御情報がＣａｓｅ  Ｂの場合の通信端末装置１００の動作について、図７〜図１０を用いて説明する。図７は、タイミング制御情報がＣａｓｅ  Ｂの場合の通信端末装置１００の動作を示すフロー図である。また、図８は、タイミング制御情報がＣａｓｅ  Ｂの場合におけるＧＰＳ部１０５の起動のタイミングを示す図である。また、図９は、通信端末装置１００がセキュリティエリアに向かっている状態を示す図であり、図１０は、通信端末装置１００がセキュリティエリアに向かっていない状態を示す図である。
【００５１】
最初に、無線情報比較部１０６は、無線部１０２から取得した受信レベルの最も高い基地局のＢＳＩと、情報保存部１０４に記憶するＢＳＩとを比較して、情報保存部１０４に記憶したＢＳＩの中に受信レベルの最も高い基地局のＢＳＩが存在するか否かを判定する（ステップＳＴ７０１）。
【００５２】
受信レベルの最も高い基地局のＢＳＩが存在しない場合には（ステップＳＴ７０１：Ｎｏ）、ステップＳＴ７０１の処理を繰り返す。
【００５３】
また、受信レベルの最も高い基地局のＢＳＩが存在する場合には（ステップＳＴ７０１：Ｙｅｓ）、ＧＰＳ制御部１０８は、位置情報の取得を開始するようにＧＰＳ部１０５を制御する（ステップＳＴ７０２）。
【００５４】
次に、方向識別部１０７は、現在地とセキュリティエリアの中心座標とから進んでいる方向を確定する（ステップＳＴ７０３）。
【００５５】
次に、方向識別部１０７は、加速度センサー等の方向検出部１０３の検出結果を取得して確認する（ステップＳＴ７０４）。
【００５６】
次に、方向識別部１０７は、セキュリティエリアに向かっているか否かを判定する（ステップＳＴ７０５）。
【００５７】
セキュリティエリアに向かっていないと判断した場合には（ステップＳＴ７０５：Ｎｏ）、無線情報比較部１０６は、無線部１０２から取得した受信レベルの最も高い基地局のＢＳＩと、情報保存部１０４に記憶するＢＳＩとを比較して、情報保存部１０４に記憶したＢＳＩの中に受信レベルの最も高い基地局のＢＳＩが存在するか否かを判定する（ステップＳＴ７０６）。
【００５８】
受信レベルの最も高い基地局のＢＳＩが存在しない場合には（ステップＳＴ７０６：Ｎｏ）、ステップＳＴ７０１に処理を戻す。
【００５９】
一方、受信レベルの最も高い基地局のＢＳＩが存在する場合には（ステップＳＴ７０６：Ｙｅｓ）、ステップＳＴ７０４に処理を戻す。
【００６０】
また、セキュリティエリアに向かっていると判断した場合には（ステップＳＴ７０５：Ｙｅｓ）、ＧＰＳ制御部１０８はタイマをスタートさせて、Ｔ＝Ｎ（Ｎは任意の正の数）まで計測する（ステップＳＴ７０７）。
【００６１】
次に、ＧＰＳ制御部１０８は、Ｔ＝Ｎであるか否かを判定する（ステップＳＴ７０８）。
【００６２】
Ｔ＝Ｎでない場合には（ステップＳＴ７０８：Ｎｏ）、ステップＳＴ７０８の処理を繰り返す。
【００６３】
一方、Ｔ＝Ｎである場合には（ステップＳＴ７０８：Ｙｅｓ）、ＧＰＳ制御部１０８は、ＧＰＳ部１０５を起動する（ステップＳＴ７０９）。
【００６４】
次に、エリア判定部１０９は、ＧＰＳ部１０５により取得した位置情報と、情報保存部１０４に記憶するセキュリティエリアの位置との比較結果に基づいて、セキュリティエリアに入ったか否かを判定する（ステップＳＴ７１０）。
【００６５】
セキュリティエリアに入っていないと判断した場合には（ステップＳＴ７１０：Ｎｏ）、ステップＳＴ７０１に処理を戻す。
【００６６】
一方、セキュリティエリアに入ったと判断した場合には（ステップＳＴ７１０：Ｙｅｓ）、方向識別部１０７は、方向検出部１０３が動きを検出しているか否かを判定する（ステップＳＴ７１１）。
【００６７】
方向検出部１０３が動きを検出している場合には（ステップＳＴ７１１：Ｎｏ）、ステップＳＴ７０７に処理を戻す。
【００６８】
一方、方向検出部１０３が動きを検出していない場合には（ステップＳＴ７１１：Ｙｅｓ）、セキュリティ設定部１１０は、セキュリティエリア内で停止していると判断してセキュリティロックを解除し、ＧＰＳ部１０５は、位置情報の取得を終了する（ステップＳＴ７１２）。
【００６９】
上記の処理において、図８より、情報保存部１０４は、セキュリティエリア＃８０１と対応付けられたセル１のＢＳＩ１１をあらかじめ記憶している。また、通信端末装置１００がセル２のエッジＰ１１に到達することにより、無線部１０２は、受信レベルの最も高い基地局（セル２）のＢＳＩ１２、及び候補基地局（セル３、セル４、セル５、セル１）のＢＳＩ１３、ＢＳＩ１４、ＢＳＩ１５、ＢＳＩ１１を取得する。しかし、情報保存部１０４に記憶しているＢＳＩ１１と一致するＢＳＩは、無線部１０２により取得した候補基地局のＢＳＩ１１であるので、ＧＰＳ制御部１０８は、ＧＰＳ部１０５を起動させない。さらに、通信端末装置１００がセル１のエッジＰ１２に到達することにより、無線部１０２は、受信レベルの最も高い基地局（セル１）のＢＳＩ１１を取得する。この際、ＧＰＳ制御部１０８は、情報保存部１０４に記憶しているＢＳＩ１１と無線部１０２により取得した受信レベルの最も高い基地局のＢＳＩ１１とが一致する比較結果を無線情報比較部１０６から取得する。従って、ＧＰＳ制御部１０８は、セル１のエッジＰ１２において、ＧＰＳ部１０５を起動させて、ＧＰＳ部１０５による位置情報の取得を開始させる。これにより、通信端末装置１００は、セキュリティエリア＃８０１に入った際に、直ちに通信を開始することができる。また、通信端末装置１００は、セル１のエッジＰ１２に移動するまでＧＰＳ部１０５を起動しないので、省電力にすることができる。
【００７０】
図９は、通信端末装置１００が、セル３及びセル２を経由してセル１内のセキュリティエリア＃９０１に移動する場合を示す。即ち、通信端末装置１００がセキュリティエリア＃９０１に向かって移動している状態を示す。一方、図１０は、通信端末装置１００が、セル３及びセル２を経由してセキュリティエリア＃１００１と対応付けられていないセル４に移動する場合を示す。即ち、通信端末装置１００がセキュリティエリア＃１００１に向かわずに移動している状態を示す。ＧＰＳ制御部１０８は、図９の場合にＧＰＳ部１０５を起動し、図１０の場合にはＧＰＳ部１０５を起動しない。即ち、方向検出部１０３により通信端末装置１００が方向Ａに向かっていることが検出された場合には、ＧＰＳ制御部１０８は、ＧＰＳ部１０５を起動しない。以上で、タイミング制御情報がＣａｓｅ  Ｂの場合の通信端末装置１００の動作についての説明を終える。
【００７１】
次に、タイミング制御情報がＣａｓｅ  Ｃの場合の通信端末装置１００の動作について、図１１を用いて説明する。図１１は、タイミング制御情報がＣａｓｅ  Ｃの場合の通信端末装置１００の動作を示すフロー図である。
【００７２】
最初に、無線情報比較部１０６は、無線部１０２から取得した受信レベルの高い方から順次選択した複数の基地局のＢＳＩと、情報保存部１０４に記憶するＢＳＩとを比較して、情報保存部１０４に記憶したＢＳＩの中に選択した複数の基地局のＢＳＩが存在するか否かを判定する（ステップＳＴ１１０１）。
【００７３】
情報保存部１０４に記憶したＢＳＩの中に、選択した複数の基地局のＢＳＩが存在しない場合には（ステップＳＴ１１０１：Ｎｏ）、ステップＳＴ１１０１の処理を繰り返す。
【００７４】
また、情報保存部１０４に記憶したＢＳＩの中に、選択した複数の基地局のＢＳＩが存在する場合には（ステップＳＴ１１０１：Ｙｅｓ）、ＧＰＳ制御部１０８は、位置情報の取得を開始するようにＧＰＳ部１０５を制御する（ステップＳＴ１１０２）。
【００７５】
次に、方向識別部１０７は、現在地とセキュリティエリアの中心座標とから進んでいる方向を確定する（ステップＳＴ１１０３）。
【００７６】
次に、方向識別部１０７は、加速度センサー等の方向検出部１０３の検出結果を取得して確認する（ステップＳＴ１１０４）。
【００７７】
次に、方向識別部１０７は、セキュリティエリアに向かっているか否かを判定する（ステップＳＴ１１０５）。
【００７８】
セキュリティエリアに向かっていないと判断した場合には（ステップＳＴ１１０５：Ｎｏ）、無線情報比較部１０６は、無線部１０２から取得した受信レベルの高い方から順次選択した複数の基地局のＢＳＩと、情報保存部１０４に記憶するＢＳＩとを比較して、情報保存部１０４に記憶したＢＳＩの中に選択した複数の基地局のＢＳＩが存在するか否かを判定する（ステップＳＴ１１０６）。
【００７９】
情報保存部１０４に記憶したＢＳＩの中に、選択した複数の基地局のＢＳＩが存在しない場合には（ステップＳＴ１１０６：Ｎｏ）、ステップＳＴ１１０１に処理を戻す。
【００８０】
一方、情報保存部１０４に記憶したＢＳＩの中に、選択した複数の基地局のＢＳＩが存在する場合には（ステップＳＴ１１０６：Ｙｅｓ）、ステップＳＴ１１０４に処理を戻す。
【００８１】
また、セキュリティエリアに向かっていると判断した場合には（ステップＳＴ１１０５：Ｙｅｓ）、ＧＰＳ制御部１０８はタイマをスタートさせて、Ｔ＝Ｎ（Ｎは任意の正の数）まで計測する（ステップＳＴ１１０７）。
【００８２】
次に、ＧＰＳ制御部１０８は、Ｔ＝Ｎであるか否かを判定する（ステップＳＴ１１０８）。
【００８３】
Ｔ＝Ｎでない場合には（ステップＳＴ１１０８：Ｎｏ）、ステップＳＴ１１０８の処理を繰り返す。
【００８４】
一方、Ｔ＝Ｎである場合には（ステップＳＴ１１０８：Ｙｅｓ）、ＧＰＳ制御部１０８は、ＧＰＳ部１０５を起動する（ステップＳＴ１１０９）。
【００８５】
次に、エリア判定部１０９は、ＧＰＳ部１０５により取得した位置情報と、情報保存部１０４に記憶するセキュリティエリアの位置との比較結果に基づいて、セキュリティエリアに入ったか否かを判定する（ステップＳＴ１１１０）。
【００８６】
セキュリティエリアに入っていないと判断した場合には（ステップＳＴ１１１０：Ｎｏ）、ステップＳＴ１１０１に処理を戻す。
【００８７】
一方、セキュリティエリアに入ったと判断した場合には（ステップＳＴ１１１０：Ｙｅｓ）、方向識別部１０７は、方向検出部１０３が動きを検出しているか否かを判定する（ステップＳＴ１１１１）。
【００８８】
方向検出部１０３が動きを検出している場合には（ステップＳＴ１１１１：Ｎｏ）、ステップＳＴ１１０７に処理を戻す。
【００８９】
一方、方向検出部１０３が動きを検出していない場合には（ステップＳＴ１１１１：Ｙｅｓ）、セキュリティ設定部１１０は、セキュリティエリア内で停止していると判断してセキュリティロックを解除し、ＧＰＳ部１０５は、位置情報の取得を終了する（ステップＳＴ１１１２）。以上で、タイミング制御情報がＣａｓｅ  Ｃの場合の通信端末装置１００の動作についての説明を終える。
【００９０】
次に、通信端末装置１００がセキュリティエリア内からセキュリティエリア外に移動する場合の通信端末装置１００の動作について、図１２を用いて説明する。図１２は、通信端末装置１００がセキュリティエリア内からセキュリティエリア外に移動する場合の通信端末装置１００の動作を示すフロー図である。
【００９１】
最初に、方向識別部１０７は、加速度センサー等の方向検出部１０３により一定時間以上の動きを検出したか否かを判定する（ステップＳＴ１２０１）。
【００９２】
一定時間以上の動きを検出しない場合には（ステップＳＴ１２０１：Ｎｏ）、ステップＳＴ１２０１の処理を繰り返す。
【００９３】
一定時間以上の動きを検出した場合には（ステップＳＴ１２０１：Ｙｅｓ）、ＧＰＳ制御部１０８は、ＧＰＳ部１０５を起動する（ステップＳＴ１２０２）。
【００９４】
次に、エリア判定部１０９は、ＧＰＳ部１０５により取得した位置情報に基づいて、セキュリティエリア内であるか否かを判定する（ステップＳＴ１２０３）。
【００９５】
セキュリティエリア内ではない場合には（ステップＳＴ１２０３：Ｎｏ）、セキュリティ設定部１１０は、セキュリティロックを設定する（ステップＳＴ１２０４）。
【００９６】
セキュリティエリア内である場合には（ステップＳＴ１２０３：Ｙｅｓ）、ＧＰＳ制御部１０８はタイマをスタートさせて、Ｔ＝Ｎ（Ｎは任意の正の数）まで計測する（ステップＳＴ１２０５）。
【００９７】
次に、ＧＰＳ制御部１０８は、Ｔ＝Ｎであるか否かを判定する（ステップＳＴ１２０６）。
【００９８】
Ｔ＝Ｎでない場合には（ステップＳＴ１２０６：Ｎｏ）、ステップＳＴ１２０６の処理を繰り返す。
【００９９】
一方、Ｔ＝Ｎである場合には（ステップＳＴ１２０６：Ｙｅｓ）、ステップＳＴ１２０１に処理を戻す。
【０１００】
このように、本実施の形態によれば、セキュリティロックの解除時の前の所定のタイミングでＧＰＳ機能を起動することにより、セキュリティエリア内において通信端末装置を暫く使用できない状態を防ぐことができるとともに、ユーザに意識させることなくセキュリティロックを解除することができ、使い勝手を良くすることができる。また、本実施の形態によれば、セキュリティエリアのサイズに応じてＧＰＳ部の起動のタイミングを異ならせるので、消費電力の低減を図ることができる。
【０１０１】
なお、本実施の形態において、セル半径が１０ｍ以上と１０ｍ未満とでＧＰＳ部の起動のタイミングを異ならせたが、本発明はこれに限らず、セル半径が１０ｍ以外の任意の値以上と任意の値未満とでＧＰＳ部の起動のタイミングを異ならせることができる。また、本実施の形態において、最も受信レベルの大きい基地局とそれ以外の基地局との受信レベル差が２０ｄｂ以上と２０ｄｂ未満とでセキュリティエリアのサイズを異ならせたが、本発明はこれに限らず、受信レベル差が２０ｄｂ以外の任意の値以上と任意の値未満とでセキュリティエリアのサイズを異ならせることができる。また、本実施の形態において、セキュリティエリアのサイズがセルのサイズよりも大きい場合と小さい場合とでＧＰＳ部を起動するタイミングを異ならせたが、本発明はこれに限らず、セキュリティエリアのサイズがセルのサイズよりも大きいか否かに関わらず、セキュリティエリアのサイズに応じて、ＧＰＳ部を起動するタイミングを異ならせても良い。また、本実施の形態において、ＢＳＩを用いてＧＰＳ部の起動のタイミングを制御したが、本発明はこれに限らず、ＢＳＩ以外の各基地局を識別可能な任意の識別情報を用いてＧＰＳ部の起動のタイミングを制御することができる。
【産業上の利用可能性】
【０１０２】
本発明にかかる通信端末装置及びセキュリティ方法は、特にセキュリティエリアの出入りをユーザに意識させずにセキュリティを設定または解除するのに好適である。
【符号の説明】
【０１０３】
１００  通信端末装置
１０１  アンテナ
１０２  無線部
１０３  方向検出部
１０４  情報保存部
１０５  ＧＰＳ部
１０６  無線情報比較部
１０７  方向識別部
１０８  ＧＰＳ制御部
１０９  エリア判定部
１１０  セキュリティ設定部
１５０  主制御部
【図１】
2010268143.tif 000003
【図２】
2010268143.tif 000004
【図３】
2010268143.tif 000005
【図４】
2010268143.tif 000006
【図５】
2010268143.tif 000007
【図６】
2010268143.tif 000008
【図７】
2010268143.tif 000009
【図８】
2010268143.tif 000010
【図９】
2010268143.tif 000011
【図１０】
2010268143.tif 000012
【図１１】
2010268143.tif 000013
【図１２】
2010268143.tif 000014